(57)【特許請求の範囲】
【請求項１】
表示媒体を２枚の基板間の空間に封止した構成のドットマトリックス型表示方式の表示部を少なくとも３画面設けた構成を有し、情報表示ボード枠体に対し情報表示ボードを回転可能に設けた構成の電子書籍装置であって、２画面を情報表示ボードの表裏両面の２つの表示部として配置して情報表示ボードを構成し、もう１画面を情報表示ボード枠体上に位置座標検出装置付き表示部として構成し、位置座標検出装置付き表示部に表示された情報から見たい情報を選択し、選択した情報に対応する情報を情報表示ボードの表裏両面の２つの表示部に表示するよう構成したことを特徴とする電子書籍装置。
【請求項２】
情報表示ボードが書き換えモード判断手段を有し、情報表示ボードの回転に応じてページ送り動作かページ戻し動作かを判断し、判断した動作に従って情報表示ボードの表裏両面の２つの表示部に表示する情報を書き換えることを特徴とする請求項１に記載の電子書籍装置。
【請求項３】
情報表示ボード枠体がスクロール手段を有し、位置座標検出装置付き表示部に表示された情報をスクロール可能に構成したことを特徴とする請求項１または２に記載の電子書籍装置。
【請求項４】
情報表示ボード枠体が位置座標検出装置付き表示部の駆動用装置と、送信機能付きデータ収納部と、電池とを備え、情報表示ボードが駆動用装置と、受信機能付きデータ収納部と、電池とを備え、位置座標検出装置付き表示部から選択された情報に基づいた情報が、送信機能付きデータ収納部から無線によって受信機能付きデータ収納部に送られ、送られてきた情報を情報表示ボードの表裏２表示部の画面サイズに合わせた１ページ分ごとに格納し、格納された分割情報により情報表示ボードの表裏２表示部に所定の情報を表示すること特徴とする請求項１〜３のいずれか１項に記載の電子書籍装置。
【請求項５】
情報表示ボード枠体の枠部厚さと情報表示ボード縁部との厚さを同じにして、電子書籍装置の情報表示ボード配置部分の厚さを揃え、少なくとも電子書籍装置の情報表示ボード配置部分をブックカバー内に収納可能に構成したことを特徴とする請求項１〜４のいずれか１項に記載の電子書籍装置。
【請求項６】
情報表示ボード枠体を、２画面を情報表示ボードの表裏両面の２つの表示部として配置した構成の情報表示ボードを回転可能に取り付けた枠部と、位置座標検出装置付き表示部を有する平板部とで構成し、枠部と平板部との間に設けたヒンジ部により折りたたみ可能に構成したことを特徴とする請求項１〜５のいずれか１項に記載の電子書籍装置。
【発明の詳細な説明】
【技術分野】
【０００１】
本発明は、表示媒体を２枚の基板間の空間に封止した構成のドットマトリックス型表示方式の表示部を少なくとも３画面設け、１画面には位置座標検出装置を設けた構成を有する電子書籍装置に関するものである。
【背景技術】
【０００２】
従来、電子書籍装置としては、液晶を表示媒体とした液晶方式表示装置を用いたもの（例えば、特許文献１参照）や、帯電粒子を表示媒体とした帯電粒子液体中移動方式表示装置（電気泳動方式）や、帯電粒子気体中移動方式表示装置（電子粉流体方式）を用いたものが知られている。
【０００３】
【特許文献１】特開平９−２６５４７０号公報
【０００４】
上述した従来の電子書籍では、いずれも、画面に表示させた情報に代わって別の情報を表示させる場合、同じ表示面（画面）を使って別の情報の表示を行っていた。つまり、表示させた情報を消去してから次に表示する別の情報を表示する（情報を書き換える）ことを行っていた。
【発明の開示】
【発明が解決しようとする課題】
【０００５】
そのため、上述した従来の電子書籍では、従来の紙媒体書籍でページを捲って読み進めるのとは異なり、次のページ画面に書き換える動作が感覚的に好まれなかった。また、画面に表示された情報の書き換えが終了するまで待つことになるが、その間、どうしても画面を見続けてしまう人間的習性のため、目が疲れるという問題があった。さらに、ページ書き換え動作中も画面を見続けていることになるため書き換えに要する時間を長く感じる場合もあり、紙媒体書籍の読書に慣れた人には、スピーディーでリズミカルな読書ができないという不都合もあった。
【０００６】
また、表示面にタッチパネル式位置検出装置を設けて、タッチして選択した情報を同じ表示面に書き換えて表示する情報表示装置が知られているが、これは選択する情報を表示した画面を消去した後に、選択した情報の表示を同じ画面に表示させるものであった。そのため、選択した情報が多い場合には表示画面をスクロールするなどして、言い換えれば何回も画面を書き換えながら見たい情報全体を少しずつ表示させなければならず、従来の紙媒体による書籍を読むのとは感覚的に全く異なるものであった。
【０００７】
本発明の目的は上述した問題点を解消して、書き換えた情報が表示されるまで待つ動作をなくすことができ、紙媒体書籍のように次々とページを捲って読み進めたり、前のページに戻って読み直したりしてリズミカルな読書が行える電子書籍装置を提供しようとするものである。
【課題を解決するための手段】
【０００８】
本発明の電子書籍装置は、表示媒体を２枚の基板間の空間に封止した構成のドットマトリックス型表示方式の表示部を少なくとも３画面設けた構成を有し、情報表示ボード枠体に対し情報表示ボードを回転可能に設けた構成の電子書籍装置であって、２画面を情報表示ボードの表裏両面の２つの表示部として配置して情報表示ボードを構成し、もう１画面を情報表示ボード枠体上に位置座標検出装置付き表示部として構成し、位置座標検出装置付き表示部に表示された情報から見たい情報を選択し、選択した情報に対応する情報を情報表示ボードの表裏両面の２つの表示部に表示するよう構成したことを特徴とするものである。
【０００９】
なお、本発明の電子書籍装置の好適例としては、情報表示ボードが書き換えモード判断手段を有し、情報表示ボードの回転に応じてページ送り動作かページ戻し動作かを判断し、判断した動作に従って情報表示ボードの表裏両面の２つの表示部に表示する情報を書き換えること、情報表示ボード枠体がスクロール手段を有し、位置座標検出装置付き表示部に表示された情報をスクロール可能に構成したこと、情報表示ボード枠体が位置座標検出装置付き表示部の駆動用装置と、送信機能付きデータ収納部と、電池とを備え、情報表示ボードが駆動用装置と、受信機能付きデータ収納部と、電池とを備え、位置座標検出装置付き表示部から選択された情報に基づいた情報が、送信機能付きデータ収納部から無線によって受信機能付きデータ収納部に送られ、送られてきた情報を情報表示ボードの表裏２表示部の画面サイズに合わせた１ページ分ごとに格納し、格納された分割情報により情報表示ボードの表裏２表示部に所定の情報を表示すること、情報表示ボード枠体の枠部厚さと情報表示ボード縁部との厚さを同じにして、電子書籍装置の情報表示ボード配置部分の厚さを揃え、少なくとも電子書籍装置の情報表示ボード配置部分をブックカバー内に収納可能に構成したこと、情報表示ボード枠体を、２画面を情報表示ボードの表裏両面の２つの表示部として配置した構成の情報表示ボードを回転可能に取り付けた枠部と、位置座標検出装置付き表示部を有する平板部とで構成し、枠部と平板部との間に設けたヒンジ部により折りたたみ可能に構成したこと、がある。
【発明の効果】
【００１０】
本発明によれば、表示媒体を２枚の基板間の空間に封止した構成のドットマトリックス型表示方式の表示部を少なくとも３画面設けた構成を有し、情報表示ボード枠体に対し情報表示ボードを回転可能に設けた構成の電子書籍装置であって、２画面を情報表示ボードの表裏両面の２つの表示部として配置して情報表示ボードを構成し、もう１画面を情報表示ボード枠体上に位置座標検出装置付き表示部として構成し、位置座標検出装置付き表示部に表示された情報から見たい情報を選択し、選択した情報に対応する情報を情報表示ボードの表裏両面の２つの表示部に表示するよう構成したことで、書き換えた情報が表示されるまで待つ動作をなくすことができ、紙媒体書籍のように次々とページを捲って読み進めたり、前のページに戻って読み直したりしてリズミカルな読書が行える電子書籍装置を得ることができる。
【発明を実施するための最良の形態】
【００１１】
＜電子書籍装置の構成について＞
図１（ａ）、（ｂ）はそれぞれ本発明の電子書籍装置の第１実施例を示す図であり、図１（ａ）はその正面図を示し、図１（ｂ）は図１（ａ）のＡ−Ａ線に沿った断面を示している。図１（ａ）、（ｂ）に示す第１実施例において、電子書籍装置１は、情報表示ボード５と情報表示ボード枠体６とからなる。そして、電子書籍装置１は、表示面として、表裏に第１表示面２ａと第２表示面２ｂとを有する情報表示ボード５と、位置座標検出装置付き第３表示面３ａを有する情報表示ボード枠体６と、から構成されている。３表示面とも、表示媒体を２枚の空間に封止した構成のドットマトリックス方式の表示部から構成されている。第１表示面２ａと第２表示面２ｂとを有する情報表示ボード５の表示部２は、両面表示可能な１枚の情報表示用パネルから構成され、第３表示面３ａを有する情報表示ボード枠体６の表示部３は、片面表示可能な１枚の情報表示用パネルと位置座標検出装置とを組み合わせて構成されている。両面表示式情報表示用パネルから構成されている第１の表示部２には縁部を設けて、情報表示ボード５を構成している。情報表示ボード５は、情報表示ボード縁部４と情報表示ボード枠体６とを回転軸７で接続することで、情報表示ボード枠体６に対し前後回転可能に設けられ、前後回転ページ捲り方式の電子書籍装置１を構成している。位置座標検出装置付き表示面から構成される情報表示ボード枠体６の表示部３は、情報表示ボード枠体６の上（図１では情報表示ボードの上方）に設けられている。
【００１２】
以上の構成に加えて、図１（ａ）、（ｂ）に示す例では、情報表示ボード縁部４の上方部にローラ方式の書き換えモード判断手段１１と書き換えモード伝達手段１２とを設け、書き換えモード判断手段１１が、情報表示ボード５の回転に応じてページ送り動作かページ戻し動作かを判断し、判断した動作に従って情報表示ボード５の表示部２の表裏の第１表示面２ａと第２表示面２ｂとに所定の情報を表示するよう構成されている。また、情報表示ボード枠体６の上部であって表示部３の右端部にスクロールスイッチ１３−１、１３−２を設け、位置座標検出装置付き表示面から構成される情報表示ボード５の表示部３の情報をスクロール可能に構成している。さらに、情報表示ボード縁部４に、情報表示ボード５の表示部２を駆動するための駆動用装置１４および電池１６と、位置座標検出装置の表示部３で選択された情報を受け取って格納するための受信機能付きデータ収納部１５と、を設けるとともに、ここでは図示していないが、情報表示ボード枠体６に、位置座標検出装置の表示部３を駆動するための駆動用装置および電池と、位置座標検出装置の表示部３で選択された情報を送信するための送信機能付きデータ収納部と、を設けている。
【００１３】
図２（ａ）、（ｂ）はそれぞれ本発明の電子書籍装置の第２実施例を示す図であり、図２（ａ）はその正面図を示し、図２（ｂ）は図２（ａ）のＡ−Ａ線に沿った断面を示している。図２（ａ）、（ｂ）に示す第２実施例において、図１（ａ）、（ｂ）に示す第１実施例に示す部材と同一の部材には同一の符号を付し、その説明を省略する。図２（ａ）、（ｂ）に示す第２実施例において、図１（ａ）、（ｂ）に示す第１実施例と異なる点は、書き換えモード判断手段として、倒れ込みスイッチ方式の書き換えモード判断手段２１を用いている点と、表裏面に第１表示面２ａと第２表示面２ｂとを有する情報表示ボード５の表示部２として、２枚の片面表示式情報表示用パネル２−１、２−２を背面同士接合して構成した両面表示式情報表示用パネルを用いている点、である。
【００１４】
図３（ａ）、（ｂ）はそれぞれ本発明の電子書籍装置の第３実施例を示す図であり、図３（ａ）はその正面図を示し、図３（ｂ）は図３（ａ）のＢ−Ｂ線に沿った断面を示している。図３（ａ）、（ｂ）に示す第３実施例において、図１（ａ）、（ｂ）に示す第１実施例に示す部材と同一の部材には同一の符号を付し、その説明を省略する。図３（ａ）、（ｂ）に示す第３実施例において、図１（ａ）、（ｂ）に示す第１実施例と異なる点は、回転軸７を情報表示ボード縁部４の上下に設けて左右回転ページ捲り方式の電子書籍装置１とした点と、それに伴って、ローラ方式の書き換えモード判断手段１１を情報表示ボード縁部４の右側部に設けた点、である。また、第３実施例では、第１実施例および第２実施例で記載しなかった情報表示ボード枠体６の位置座標検出装置表示部３の断面を、図３（ｂ）として示している。情報表示ボード枠体６の位置座標検出装置表示部３は、図３（ｂ）に示すように、裏面側に設けた片面表示可能な１枚の情報表示用パネル３１と表示面側に設けた透明なタッチパネル方式位置座標検出装置３２とを組み合わせ、さらに、情報表示ボード枠体６に埋め込むことで構成されている。さらにまた、情報表示ボード枠体６に、位置座標調整装置表示部３を駆動するための駆動用装置３３および電池３４と、第２の表示部３で選択した情報を送信するための送信機能付きデータ収納部３５と、を設けている。
【００１５】
図４（ａ）、（ｂ）はそれぞれ本発明の電子書籍装置の第４実施例を示す図であり、図４（ａ）はその正面図を示し、図４（ｂ）は図４（ａ）のＢ−Ｂ線に沿った断面を示している。図４（ａ）、（ｂ）に示す第４実施例において、図３（ａ）、（ｂ）に示す第３実施例と同一の部材には同一の符号を付し、その説明を省略する。図４（ａ）、（ｂ）に示す第４実施例において、図３（ａ）、（ｂ）に示す第３実施例と異なる点は、書き換えモード判断手段として、倒れ込みスイッチ方式の書き換えモード判断手段２１を用いている点と、位置座標検出装置の表示部３として、表示面側に情報表示用パネル３１を配置するとともに裏面側に電磁授受方式位置座標検出装置３２を配置した点、である。
【００１６】
図５（ａ）〜（ｄ）はそれぞれ本発明の電子書籍装置の第５実施例を説明するための図である。図５（ａ）〜（ｄ）に示す第５実施例において、上述した第１実施例〜第４実施例と同一の部材には同一の符号を付し、その説明を省略する。図５（ａ）〜（ｄ）に示す第５実施例では、本発明の電子書籍装置１をブックカバー４１内に収納して、電子書籍装置１の持ち運びを容易にした例を示している。図５（ａ）〜（ｄ）に示す例において、情報表示ボード枠体６と情報表示ボード縁部４との厚さを同じにして、電子書籍装置１の情報表示ボード配置部分の厚さを揃えるとともに、情報表示ボード５表裏の表示面２ａ、２ｂが、情報表示ボード縁部４より外側に出ないように構成している。そして、電子書籍装置１を持ち運ぶ搬送時は、図５（ａ）の収納状態に示すように、電子書籍装置１をブックカバー４１内に収納し、電子書籍装置を実際に使う使用時は、図５（ｂ）の使用状態に示すように、電子書籍装置１をブックカバー４１から取り出す。また、図５（ａ）〜（ｄ）に示す例では、電子書籍装置１を収納するブックカバー４１の内側に、情報表示ボード５が回転しないように押さえる緩衝部材４２を配置している。さらに、緩衝部材４２と情報表示ボード枠体６および情報表示ボード縁部４とが接する状態で収納するよう構成している。情報表示ボードの表示画面および位置座標検出装置付き表示部画面の保護のためのブックカバーとセットにし、電子書籍装置１のサイズをＡ４サイズ以下にすることで携帯性に優れた電子書籍装置とすることができる。
【００１７】
図６（ａ）、（ｂ）はそれぞれ本発明の電子書籍装置の第６実施例を示す図であり、図６（ａ）はその正面図を示し、図６（ｂ）は図６（ａ）のＡ−Ａ線に沿った断面を示している。図６（ａ）、（ｂ）に示す第６実施例において、上述した第１実施例〜第５実施例と同一の部材には同一の符号を付し、その説明を省略する。図６（ａ）、（ｂ）に示す第６実施例では、情報表示ボード枠体６を折りたたみ可能に構成して、折りたたみ式の電子書籍装置１を構成している。図６（ａ）、（ｂ）に示す例において、情報表示ボード枠体を６、２画面を情報表示ボード５の表裏両面の２つの表示部２ａ、２ｂとして配置した構成の情報表示ボード５を回転可能に取り付けた枠部６−１と、枠部６−１と同じ面積で、位置座標検出装置付き表示部３ａを有する平板部６−２とで構成し、枠部６−１と平板部６−２との間に設けたヒンジ部４５により折りたたみ可能に構成している。また、折りたたみ時に第２の表示部３の第３表示面３ａを保護するため、第２の表示部３の周囲に緩衝材４６を配置している。枠部６−１と平板部６−２とは同じ面積でなくてもよいが、折りたたんだ時平板部６−２によって枠部６−１の情報表示ボード両面が覆われることが、画面を保護する意味で好ましい。
【００１８】
＜電子書籍装置の動作について＞
上述した第１実施例〜第６実施例の電子書籍装置１における動作は以下の通りである。まず、位置座標検出装置付きの情報表示ボード枠体６の表示部３の第３表示面３ａに表示された情報から見たい情報を指などでタッチして選択すると、選択された情報が送信機能付きデータ収納部３５によって情報表示ボード５に搭載された受信機能付きデータ収納部１５に送られる。送られた情報は、情報表示ボード５のデータ収納部１５に１ページ分ごとの情報として分割格納される。情報表示ボード５を回転させて表側表示部から裏側表示部を向けるようにすると、書き換えモード判断手段１１が送りモードか戻しモードかを判断し、その判断に応じた情報をデータ収納部１５に格納された情報から選択し、選択した分割格納された情報を１ページずつ順番に表示できるよう構成している。すなわち、紙の表裏に表示された書籍２ページ分の情報を１枚の情報表示ボードの表側表示面と裏側表示面とに表示し、しかも、回転動作であたかも紙を捲るようにして読み進めることができるよう構成している。
【００１９】
図７（ａ）〜（ｃ）はそれぞれ本発明の電子書籍装置のページ送り動作の一例を説明するための図であり、図８（ａ）〜（ｃ）はそれぞれ本発明の電子書籍装置のページ戻し動作の一例を説明するための図である。
【００２０】
図７（ａ）〜（ｃ）に従ってページ送り動作を説明すると、まず、図７（ａ）に示すように、第１表示面２ａに１ページ目の情報が表示されている情報表示ボード５を左回転させると、回転の際の書き換えモード判断手段２１の倒れる方向で書き換えモード判断手段２１がページ送りモードの書き換えであると判断する。次に、図７（ｂ）に示すように、情報表示ボード５の回転中に、書き換えモード伝達手段１２により送られる判断されたページ送りモードの書き換え情報に従って、裏面の第２表示面２ｂを次ページすなわち第２ページに書き換える。そして、図７（ｃ）に示すように、情報表示ボード５の回転が終了した時点で、第２ページを表示した第２表示面２ｂが現れる。以上のようにしてページ送り動作が終了する。
【００２１】
次に、図８（ａ）〜（ｃ）に従ってページ戻し動作を説明すると、まず、図８（ａ）に示すように、第２表示面２ｂに２ページ目の情報が表示されている情報表示ボード５を右回転させると、回転の際の書き換えモード判断手段２１の倒れる方向で書き換えモード判断手段２１がページ戻しモードの書き換えであると判断する。次に、図８（ｂ）に示すように、情報表示ボード５の回転中に、書き換えモード伝達手段１２により送られる判断されたページ戻しモードの書き換え情報に従って、裏面の第１表示面２ａを前ページすなわち第１ページに書き換える。そして、図８（ｃ）に示すように、情報表示ボード５の回転が終了した時点で、第１ページを表示した第１表示面２ａが現れる。以上のようにしてページ戻し動作が終了する。
【００２２】
図９（ａ）〜（ｃ）はそれぞれ本発明の電子書籍装置の動作の一例を説明するための図である。  図９（ａ）〜（ｃ）に従って電子書籍装置の動作を説明すると、まず、図９（ａ）に示すように、位置座標検出装置付き（この場合、透明なタッチパネル方式位置座標検出装置）の表示部３の第３表示面３ａに表示されている情報目次から情報目次にタッチして選択する。情報目次は表示部３の第３表示面３ａに表示されるが、画面に表示しきれない部分は、スクロールスイッチ１３−１、１３−２によるスクロール機能を用いて表示部３の第３表示面３ａに表示させた後の画面に出してタッチ選択する。この状態では、情報表示ボード５の表示部２の第１表示面２ａには、何を表示していても良いし、あるいは、表示しない状態であってもよい。次に、図９（ｂ）に示すように、選択した情報は情報表示ボード５の表示部２の画面に対応した１ページ分毎の分割情報として、情報表示ボード枠体６に設けられた送信機能付きデータ収納部３５から送信され、情報表示ボード縁部４に設けられた受信機能付きデータ収納部１５に格納される。そして、情報の格納を終了すると同時に、選択した情報の１ページ目を情報表示ボード５の表示部２の第１表示面２ａに表示する。このとき位置座標検出装置付き表示部３の第３表示面３ａの画面表示はそのまま残っている。次に、図９（ｂ）に示す状態で、情報表示ボード５を左回転すると、図７（ａ）〜（ｃ）に示したように、書き換えモード判断手段２１が書き換えモードであることを判断し、裏面の第２表示面２ｂに対し２ページ目への書き換えが開始される。そして、図９（ｃ）に示すように、情報表示ボード５を１８０度回転する間に情報表示ボード５の表示部２の第１表示面２ａ上の１ページ目情報は消去され、情報表示ボード５の表示部２の第２表示面２ｂに表示された２ページ目が現れる。
【００２３】
＜書き換えモード判断手段の動作について＞
図１０（ａ）〜（ｆ）および図１１（ａ）〜（ｆ）はそれぞれ本発明の電子書籍装置における書き換えモード判断手段の動作の一例を説明するための図である。ここで、図１０（ａ）〜（ｆ）に示す例は倒れ込みスイッチ方式の書き換えモード判断手段２１の例を、図１１（ａ）〜（ｆ）に示す例はローラ方式の書き換えモード判断手段１１の例を、それぞれ示している。
【００２４】
図１０（ａ）〜（ｆ）に従って倒れ込みスイッチ方式の書き換えモード判断手段２１の動作の一例を説明すると、まず、図１０（ａ）に示すように、情報表示ボード縁部４に設けられた書き換えモード判断手段２１を構成するスイッチ５１が、情報表示ボード枠体６に設けられた凸状部材５２の溝部５３にある状態から、情報表示ボード５の移動が始まる。ここでは上方に移動する。移動に従って、図１０（ｂ）に示すように、スイッチ５１の先端が凸状部材５２により倒れ、倒れた方向で書き換えモードが判断され、書き換えが開始される。そして、図１０（ｃ）に示すように、スイッチ５１は弾性力で元の位置に戻る。この段階では書き換えは継続中である。次に、図１０（ｄ）に示すように、スイッチ５１が反対側の情報表示ボード枠体６に設けられた凸状部材５２に移動すると、スイッチ５１の先端が接触しながら所定の位置にて一旦停止する。この段階では書き換えは終了している。さらに移動することで、図１０（ｅ）に示すように、凸状部材５２によりスイッチ５１の先端が倒れることで、一連の書き換え動作の終了を判断する。そして、図１０（ｆ）に示すように、反対側の凸状部材５２の溝部５３にてスイッチ５１の先端が停止して、ページ捲り動作を終了する。ここから次のページ捲り動作を開始する。
【００２５】
次に、図１１（ａ）〜（ｆ）に従ってローラ方式の書き換えモード判断手段１１の動作の一例を説明すると、まず、図１１（ａ）に示すように、情報表示ボード縁部４に設けられた書き換えモード判断手段１１を構成するローラ５４が、情報表示ボード枠体６に接触している状態から、情報表示ボード５の移動が始まる。ここでは上方に移動する間、ローラ５４が右回転する。移動に従って、図１１（ｂ）に示すように、ローラ５４が情報表示ボード枠体６から離れ回転が停止すると、回転方向で書き換えモードが判断され、書き換えが開始される。その後、図１１（ｃ）に示すように、情報表示ボード５が移動してもローラ５４の回転は停止したままとなる。この段階では書き換え継続中である。次に、図１１（ｄ）に示すように、ローラ５４が反対側の情報表示ボード枠体６に移動し、ローラ５４が情報表示ボード枠体６に接触し始める。この段階では書き換えは終了している。さらに移動することで、図１１（ｅ）に示すように、反対側の情報表示ボード枠体６とローラ５４との接触によりローラ５４が微量回転することで、一連の書き換え動作の終了を判断する。そして、図１１（ｆ）に示すように、反対側の情報表示ボード枠体６の中央にてローラ５４の回転が停止して、ページ捲り動作を終了する。ここから次のページ捲り動作を開始する。
【００２６】
＜第１実施例〜第６実施例において用いる情報表示用パネルの説明＞
上述した第１実施例〜第６実施例において、両面表示可能あるいは片面表示可能な情報表示用パネルとして好ましい構成は以下の通りである。まず、電界駆動可能な表示媒体としては、帯電粒子を気体中空間で駆動する方式や、帯電粒子を絶縁液体中で駆動する（電気泳動）方式や、帯電粒子を絶縁液体とともにマイクロカプセル中で移動する方式（マイクロカプセル形電気泳動方式）のものに適用できる。また、表示媒体をはさんで対向配置する２枚の基板には、電極を対で設け、この対電極間に形成された電界によって表示媒体を駆動させて画像等の情報表示を書き換える。観察側には透明基板を用い、透明な導電材料で形成した透明電極を設ける。対電極は、ライン電極を互いに対向交差させて形成したり、個別電極を対向させて形成したりすることができる。いずれの場合もドットマトリックス表示方式の情報表示用パネルとすることができる。対電極をセグメント電極で構成すれば、セグメント表示方式の情報表示用パネルとすることができる。
【００２７】
さらに、ライン電極で構成した対電極の場合にはパッシブ駆動方式を用い、個別電極で構成した対電極の場合にはアクティブ駆動方式を用いる。さらにまた、基板としては、ガラス、石英等の無機シートや、ポリエチレンテレフタレート（ＰＥＴ）、ポリエチレンナフタレート（ＰＥＮ）、ポリエチレン（ＰＥ）、ポリカーボネート（ＰＣ）、ポリイミド（ＰＩ）、ポリエーテルサルフォン（ＰＥＳ）、アクリル等の有機高分子系シートが用いられ、観察側表示面となる基板には透明なものを用いる。
【００２８】
次に、情報表示用パネルの具体例として、帯電粒子（表示媒体）を気体中空間で駆動する方式の一例を、図１２（ａ）、（ｂ）〜図１４（ａ）、（ｂ）それぞれを参照して説明する。
【００２９】
図１２（ａ）、（ｂ）〜図１４（ａ）、（ｂ）に示した例では、電界駆動可能な帯電粒子で構成された表示媒体６３を２枚の透明基板６１、６２間の空間に封入し、透明基板６１、６２のそれぞれに設けた透明電極６５、６６から電界を付与することで、表示媒体６３を移動させて画像等の情報表示を書き換えできるドットマトリックス表示方式の両面表示可能な情報表示用パネル６２を示している。また、表示媒体６３を封入する透明基板６１、６２間の空間は、隔壁６４により複数のセル（小部屋）６７で仕切られている。これにより、封入した表示媒体６３が偏ることを防止できる。なお、表示媒体６３をマイクロカプセルに封止した場合には、このマイクロカプセルがセル（小部屋）の機能を有するので、さらにセル（小部屋）を設けなくても良い。
【００３０】
図１２（ａ）、（ｂ）に示す例では、３つのセル６７を表示単位（１ドット）とし、それぞれのセル６７に、白色表示媒体６３Ｗと赤色表示媒体６３Ｒとの２色の組み合わせの表示媒体、白色表示媒体６３Ｗと緑色表示媒体６３Ｇとの２色の組み合わせの表示媒体、白色表示媒体６３Ｗと青色表示媒体６３ＢＬとの２色の組み合わせの表示媒体、を封入してカラードット表示している。図１２（ａ）、（ｂ）に示す例とも観察者に対し赤色ドット表示を行っている。図１２（ａ）と図１２（ｂ）との相違点は、図１２（ａ）に示す例では電極６５、６６をライン電極として構成しているのに対し、図１２（ｂ）に示す例では電極６５、６６を個別電極として構成している点である。表示媒体の２色の組み合わせは上述した例に限定されるものではなく、例えば、それぞれのセルに黒赤２色、黒緑２色、黒青２色の組み合わせで表示媒体を封入した構成によってもカラードット表示することができる。
【００３１】
図１３（ａ）、（ｂ）に示す例では、３つのセル６７を表示単位（１ドット）とし、それぞれのセル６７の両面に、三原色カラーフィルター７１Ｒ、７１Ｇ、７１ＢＬを配置し、白色表示媒体３３Ｗと黒色表示媒体６３Ｂの２色の表示媒体によってカラードット表示している。図１３（ａ）、（ｂ）とも観察者に対し青色ドット表示を行っている。図１３（ａ）と図１３（ｂ）との相違点は、図１３（ａ）に示す例では電極６５、６６をライン電極として構成しているのに対し、図１３（ｂ）に示す例では電極６５、６６を個別電極として構成している点である。他の構成として、４つのセル６７を表示単位（１ドット）とし、それぞれのセル６７に三原色カラーフィルターと無色のカラーフィルターとを配置し、白黒２色の表示媒体によってカラードット表示することもできる。
【００３２】
また、カラーフィルターを用いてカラー表示する場合には、表裏両面にカラーフィルターを設けることが好ましいが、どちらかの面ではカラー表示でなく２色で表示させたい場合にはどちらか１面にカラーフィルターを設けるだけでよい。このように構成することで、両面表示可能な情報表示用パネルとして、一面を高精細な文字等の情報を表示するのに好適なモノクロ表示とし、他の面を図形等の情報を表示するのに好適なカラー表示としたパネルを得ることができる。もちろん、用途に応じて、両面モノクロ表示としたり、表示面の一部でカラー表示し、他の一部でモノクロ表示したり、カラー表示する領域とモノクロ表示する領域を自由に配置した構成とすることもできる。
【００３３】
図１４（ａ）、（ｂ）に示す例では、３つのセル６７を表示単位（１ドット）とし、それぞれのセル６７に、白色表示媒体６３Ｗとマゼンタ色表示媒体６３Ｍとの２色の組み合わせの表示媒体、白色表示媒体６３Ｗとシアン色表示媒体６３Ｃとの２色の組み合わせの表示媒体、白色表示媒体６３Ｗとイエロー色表示媒体６３Ｙとの２色の組み合わせの表示媒体、を封入してカラードット表示している。図１４（ａ）、（ｂ）とも観察者に対しマゼンタ色ドット表示を行っている。図１４（ａ）と図１４（ｂ）との相違点は、図１４（ａ）に示す例では電極６５、６６をライン電極として構成しているのに対し、図１４（ｂ）に示す例では電極６５、６６を個別電極として構成している点である。
【産業上の利用可能性】
【００３４】
本発明の電子書籍装置は、電子マニュアル（取扱説明書）、電子新聞、電子楽譜等の電子書籍のほか、電子ＰＯＰ（Point of Presence, Point of Purchase advertising）、電子広告、情報ボード等の情報表示装置として好適に使用することができる。
【図面の簡単な説明】
【００３５】
【図１】（ａ）、（ｂ）はそれぞれ本発明の電子書籍装置の第１実施例を示す図である。
【図２】（ａ）、（ｂ）はそれぞれ本発明の電子書籍装置の第２実施例を示す図である。
【図３】（ａ）、（ｂ）はそれぞれ本発明の電子書籍装置の第３実施例を示す図である。
【図４】（ａ）、（ｂ）はそれぞれ本発明の電子書籍装置の第４実施例を示す図である。
【図５】（ａ）〜（ｄ）はそれぞれ本発明の電子書籍装置の第５実施例を説明するための図である。
【図６】（ａ）、（ｂ）はそれぞれ本発明の電子書籍装置の第６実施例を示す図である。
【図７】（ａ）〜（ｃ）はそれぞれ本発明の電子書籍装置のページ送り動作の一例を説明するための図である。
【図８】（ａ）〜（ｃ）はそれぞれ本発明の電子書籍装置のページ戻し動作の一例を説明するための図である。
【図９】（ａ）〜（ｃ）はそれぞれ本発明の電子書籍装置の動作の一例を説明するための図である。
【図１０】（ａ）〜（ｆ）はそれぞれ本発明の電子書籍装置における書き換えモード判断手段の動作の一例を説明するための図である。
【図１１】（ａ）〜（ｆ）はそれぞれ本発明の電子書籍装置における書き換えモード判断手段の動作の他の例を説明するための図である。
【図１２】（ａ）、（ｂ）はそれぞれ本発明に用いる情報表示用パネルの一具体例を説明するための図である。
【図１３】（ａ）、（ｂ）はそれぞれ本発明に用いる情報表示用パネルの他の具体例を説明するための図である。
【図１４】（ａ）、（ｂ）はそれぞれ本発明に用いる情報表示用パネルのさらに他の具体例を説明するための図である。
【符号の説明】
【００３６】
１  電子書籍装置
２  情報表示ボードの表示部
２ａ  第１表示面
２ｂ  第２表示面
２−１、２−２、３１  片面表示式情報表示用パネル
３  位置座標検出装置付き表示部
３ａ  第３表示面
４  情報表示ボード縁部
５  情報表示ボード
６  情報表示ボード枠体
６−１  枠部
６−２  平板部
１１、２１  書き換えモード反転手段
１２  電子書き換えモード伝達手段
１３−１、１３−２  スクロールスイッチ
１４、３３  駆動用装置
１５  受信機能付きデータ収納部
１６、３４  電池
３２  位置座標検出装置
３５  送信機能付きデータ処理部
４１  ブックカバー
４２、４６  緩衝部材
４５  ヒンジ部
６１、６２  透明基板
６３  表示媒体
６３Ｗ  白色表示媒体
６３Ｂ  黒色表示媒体
６３Ｒ  赤色表示媒体
６３Ｇ  緑色表示媒体
６３ＢＬ  青色表示媒体
６３Ｍ  マゼンタ色表示媒体
６３Ｃ  シアン色表示媒体
６３Ｙ  イエロー色表示媒体
６４  隔壁
６５、６６  透明電極
６７  セル
７１Ｒ  赤色カラーフィルター
７１Ｇ  緑色カラーフィルター
７１ＢＬ  青色カラーフィルター
【図１】
0004890368.tif 000002
【図２】
0004890368.tif 000003
【図３】
0004890368.tif 000004
【図４】
0004890368.tif 000005
【図５】
0004890368.tif 000006
【図６】
0004890368.tif 000007
【図７】
0004890368.tif 000008
【図８】
0004890368.tif 000009
【図９】
0004890368.tif 000010
【図１０】
0004890368.tif 000011
【図１１】
0004890368.tif 000012
【図１２】
0004890368.tif 000013
【図１３】
0004890368.tif 000014
【図１４】
0004890368.tif 000015